(57)【特許請求の範囲】
【請求項１】
マトリクス状に配列された複数のＬＥＤで構成される表示部と、行毎に該ＬＥＤの第１端子に第１電圧を印加するための複数の第１スイッチング素子と、列毎に前記ＬＥＤの第２端子に第２電圧を印加するための複数の第２スイッチング素子と、前記第１スイッチング素子及び前記第２スイッチング素子のＯＮ／ＯＦＦを制御する制御回路とを有し、前記複数のＬＥＤのうち前記第１スイッチング素子及び前記第２スイッチング素子がＯＮとされることで決定されるＬＥＤが点灯するＬＥＤ表示装置において、
前記第１スイッチング素子毎に設けられ、前記第１スイッチング素子と前記表示部との間に接続される配線に一端が接続されるとともに他端に前記第２電圧が印加された複数のインピーダンス素子を有するとともに、
前記インピーダンス素子が抵抗とツェナーダイオードとの直列回路から成ることを特徴とするＬＥＤ表示装置。
【請求項２】
前記第１スイッチング素子がＭＯＳトランジスタであることを特徴とする請求項１に記載のＬＥＤ表示装置。
【請求項３】
前記第２スイッチング素子が接合型トランジスタであることを特徴とする請求項１又は請求項２に記載のＬＥＤ表示装置。
【請求項４】
前記第１スイッチング素子毎に設けられ、前記インピーダンス素子と直列に接続された複数の第３スイッチング素子を有することを特徴とする請求項１〜請求項３のいずれかに記載のＬＥＤ表示装置。
【請求項５】
前記第３スイッチング素子がＭＯＳトランジスタであることを特徴とする請求項４に記載のＬＥＤ表示装置。
【請求項６】
マトリクス状に配列された複数のＬＥＤで構成される表示部と、行毎に該ＬＥＤの第１端子に第１電圧を印加するための複数の第１スイッチング素子と、列毎に前記ＬＥＤの第２端子に第２電圧を印加するための複数の第２スイッチング素子と、前記第１スイッチング素子及び前記第２スイッチング素子のＯＮ／ＯＦＦを制御する制御回路とを有し、前記複数のＬＥＤのうち前記第１スイッチング素子及び前記第２スイッチング素子がＯＮとされることで決定されるＬＥＤが点灯するＬＥＤ表示装置の検査方法において、
前記ＬＥＤ表示装置が、前記第１スイッチング素子と前記表示部との間に接続される配線に一端が接続されるとともに他端に前記第２電圧が印加された複数のインピーダンス素子を、前記第１スイッチング素子毎に備え、
前記第２スイッチング素子を全てＯＦＦとするとともに、前記第１スイッチング素子を時分割駆動して順次ＯＮとすることによって、逆方向にリーク電流の流れる逆方向特性異常のＬＥＤを検出することを特徴とするＬＥＤ表示装置の検査方法。
【発明の詳細な説明】
【０００１】
【発明の属する技術分野】
本発明は、ＬＥＤ（Light Emitting Diode）表示装置及びその検査方法に係り、特に、ＬＥＤがマトリクス状に配置されたドットマトリクス型ＬＥＤ表示装置及びその検査方法に関する。
【０００２】
【従来の技術】
一般に、ドットマトリクス型ＬＥＤ表示装置は、横１６ドット×縦１６ドットとなるようにマトリクス状に配置された２５６個のＬＥＤを１文字単位とするとともに、この１文字単位の２５６個のＬＥＤで形成されたユニットを更にマトリクス状に任意の数だけ並べることによって、表示部が形成される。このように構成される従来のＬＥＤ表示装置の構成を図９に示す。尚、図９に示すＬＥＤ表示装置は、その構成及び動作を簡単に説明するために、１文字単位についてのみ示したものである。
【０００３】
図９のＬＥＤ表示装置は、１６×１６のマトリクス状に配置されたLED1.1，LED1.2，…，LED16.16より構成される表示部１と、垂直方向（縦方向）に走査して表示部１内のＬＥＤを各行毎にスイッチング制御するＮチャネルのＭＯＳトランジスタＳ１，Ｓ２，…，Ｓ１６で構成されたスイッチング素子群２と、各行のＬＥＤを同時にスイッチング制御するＮＰＮ型トランジスタＤ１，Ｄ２，…，Ｄ１６で構成されたスイッチング素子群３と、スイッチング素子群２，３を制御する制御回路５とを有する。
【０００４】
このような構成のＬＥＤ表示装置は、例えば、制御回路５によって、スイッチング素子群２のトランジスタＳｍ（ｍは、１≦ｍ＜１６の自然数）がＯＮとされたとき、表示部１のｍ行目の配置されたLEDm.1〜m.16のアノードに電源電圧ＶDDが印加される。このとき、制御回路５よりスイッチング素子群３にデータが与えられて、例えば、スイッチング素子群３のトランジスタＤｎ（ｎは、１≦ｎ≦１６の自然数）がＯＮとされると、LEDm.nのカソードが抵抗Ｒｎ及びトランジスタＤｎを介して接地される。よって、LEDm.nに電流が流れて点灯する。このようにして、表示部１に設けられたＬＥＤが点灯動作を行うことで、文字が表示される。このとき、スイッチング素子群２においてＯＦＦとなっているトランジスタに接続される行のＬＥＤは点灯しない。
【０００５】
【発明が解決しようとする課題】
しかしながら、表示部１とスイッチ素子群２との間における配線の接続状態によっては、制御回路５によってＯＮとされるスイッチング素子群２のトランジスタと表示部１との間における配線に流れる電流や他の回路の動作の影響によって、スイッチング素子群２の他のＯＦＦとされるトランジスタと表示部１との間における配線に誘導電圧が発生することがある。よって、スイッチング素子群２におけるトランジスタがＯＦＦであるため、このトランジスタに接続された本来電流が流れることのない表示部１の行に、誘導電圧の影響によって発生した微量の電流が流れて、スイッチング素子群３によってカソードが接地された状態となるＬＥＤがわずかに点灯する。
【０００６】
又、近年、このようなＬＥＤ表示装置に、ＩｎＧａＮ系の高輝度の青・緑・白色発光のＬＥＤが用いられることがある。このＩｎＧａＮ系のＬＥＤは、一般のＬＥＤがＣ＝２００ｐＦで２００Ｖ程度の耐量があるのに対して、５0V程度の耐量しかないというように、その構造的な要因から静電気などによるサージに対する耐量が低い。よって、製造工程の取り扱いによっては、ＬＥＤに静電気が印加されたため、ＬＥＤ素子の損傷や信頼性低下が発生することがあり、こうしたダメージを受けたＬＥＤは、初期状態では正常に点灯するが、寿命が短く短期間で点灯しなくなる不具合の原因となっている。
【０００７】
更に、この不具合を避けるために、ダメージを受けたＬＥＤを判別する方法としては、逆方向電圧をかけたときのＬＥＤにおけるリーク電流が大きくなる特性の変化を検知することが挙げられるが、従来、このような検査を行うためには、それぞれのＬＥＤにプローブを当てて、逆方向電流を測定することによって行っている。よって、その測定に時間がかかるとともに、プローブを含めた測定器が新たに必要であった。
【０００８】
このような問題を鑑みて、本発明は、配線に発生する誘導電圧による異常動作を防ぐことのできるＬＥＤ表示装置を提供することを目的とする。又、本発明の他の目的は、逆方向特性異常のＬＥＤを簡単に検出することのできるＬＥＤ表示装置及びその検査方法を提供することである。
【０００９】
【課題を解決するための手段】
上記の目的を達成するために、本発明のＬＥＤ表示装置は、マトリクス状に配列された複数のＬＥＤで構成される表示部と、行毎に該ＬＥＤの第１端子に第１電圧を印加するための複数の第１スイッチング素子と、列毎に前記ＬＥＤの第２端子に第２電圧を印加するための複数の第２スイッチング素子と、前記第１スイッチング素子及び前記第２スイッチング素子のＯＮ／ＯＦＦを制御する制御回路とを有し、前記複数のＬＥＤのうち前記第１スイッチング素子及び前記第２スイッチング素子がＯＮとされることで決定されるＬＥＤが点灯するＬＥＤ表示装置において、前記第１スイッチング素子毎に設けられ、前記第１スイッチング素子と前記表示部との間に接続される配線に一端が接続されるとともに他端に前記第２電圧が印加された複数のインピーダンス素子を有するとともに、前記インピーダンス素子が抵抗とツェナーダイオードとの直列回路から成ることを特徴とすることを特徴とする。
【００１０】
このようなＬＥＤ表示装置において、インピーダンス素子のインピーダンスを表示部を構成するＬＥＤによるインピーダンスよりも低くすることで、表示部と第１スイッチング素子との間の配線に他の回路や配線を流れる電流などの影響を受けて誘電電圧が発生したときに、この誘電電圧によって生じる電流がインピーダンス素子を流れる。よって、ＯＦＦとされている第１スイッチング素子に接続されたＬＥＤが、誘電電圧によって生じる電流によって点灯することを防ぐことができる。
【００１１】
このようなＬＥＤ表示装置において、第１スイッチング素子をＭＯＳトランジスタとしても構わないし、第２スイッチング素子を接合型トランジスタとしても構わない。更に、前記第１スイッチング素子毎に設けられ、前記インピーダンス素子と直列に接続された複数の第３スイッチング素子を設けても構わない。
【００１２】
又、本発明は、このようなＬＥＤ表示装置の検査方法として、前記第２スイッチング素子を全てＯＦＦとするとともに、前記第１スイッチング素子を時分割駆動して順次ＯＮとすることによって、逆方向にリーク電流の流れる逆方向特性異常のＬＥＤを検出することを特徴とするＬＥＤ表示装置の検査方法を提供する。
【００１３】
このような検査方法において、同一列に配されたＬＥＤの中に逆方向特性異常のＬＥＤが存在するとき、そのＬＥＤに接続された第１スイッチング素子以外の第１スイッチング素子をＯＮとしたとき、逆方向特性異常のＬＥＤ及びインピーダンス素子を介して第２電圧がＬＥＤの第２端子に印加されるため、逆方向特性異常のＬＥＤ以外の同一列のＬＥＤが全て点灯する。よって、このようになったとき、同一列のＬＥＤにおいて点灯したＬＥＤが存在したとき、点灯していないＬＥＤが逆方向特性異常のＬＥＤとして検出される。尚、同一列全てのＬＥＤが点灯していない場合は、その列に配されたＬＥＤは正常に動作するものとされる。
【００１４】
【発明の実施の形態】
以下に、本発明の各実施形態について、説明する。
【００１５】
＜第１の実施形態＞
本発明の第１の実施形態について、図面を参照して説明する。図１は、本実施形態におけるＬＥＤ表示装置の内部構成を示すブロック回路図である。尚、図１に示すＬＥＤ表示装置は、図９に示すＬＥＤ表示装置と同様、その構成及び動作を簡単に説明するために、１文字単位についてのみ示したものである。
【００１６】
図１のＬＥＤ表示装置は、LED1.1〜LED16.16の２５６個のＬＥＤがマトリクス状に配された表示部１と、ＮチャネルのＭＯＳトランジスタＳ１〜Ｓ１６で構成されるとともに表示部１を垂直方向に走査してＬＥＤを各行毎にスイッチング制御するスイッチング素子群２と、ＮＰＮ型トランジスタＤ１〜Ｄ１６で構成されるとともに表示部１の各行のＬＥＤを同時にスイッチング制御するスイッチング素子群３と、スイッチング素子群２のトランジスタＳ１〜Ｓ１６のそれぞれのソースに一端が接続されるとともに他端が接地された負荷Ｚ１〜Ｚ１６で構成されたインピーダンス素子群４と、スイッチング素子群２，３を制御する制御回路５とを有する。
【００１７】
このとき、トランジスタＳ１〜Ｓ１６のドレインには電源電圧ＶDDが印加されるとともに、それぞれのゲートには制御回路５より制御信号が与えられる。トランジスＤ１〜Ｄ１６のエミッタが接地されるとともに、それぞれのコレクタが抵抗Ｒ１〜Ｒ１６それぞれの一端に接続され、それぞれのベースには制御回路５より制御信号が与えられる。更に、トランジスタＳ１，Ｓ２，…，Ｓ１６のそれぞれのソースに、LED1.1〜LED1.16，LED2.1〜LED2.16，…，LED16.1〜LED16.16のアノードが接続され、又、抵抗Ｒ１，Ｒ２，…，Ｒ１６のそれぞれの他端に、LED1.1〜LED16.1，LED1.2〜LED16.2，…，LED1.16〜LED16.16のカソードが接続される。
【００１８】
このように構成されるＬＥＤ表示装置は、図９に示すＬＥＤ表示装置と同様、制御回路５によってトランジスタＳｍがＯＮとされると、表示部１のｍ行目のLEDm.1〜LEDm.16のアノードに電源電圧ＶDDが印加され、電流が流れようとする。そして、このとき、例えば、制御回路５によってトランジスタＤｎがＯＮとされると、表示部１のｎ列目に存在するLEDm.nのカソードが抵抗Ｒｎ及びトランジスタＤｎを介して接地されるため、LEDm.nに電流が流れて点灯する。
【００１９】
このようにｍ行目のＬＥＤが点灯動作をする際、ｍ行目以外のＬＥＤとスイッチング素子群２との間の配線に誘導電圧が発生して、この誘導電圧が発生した配線に微弱な電流が流れようとする。今、インピーダンス素子群４の各負荷Ｚ１〜Ｚ１６は、表示部１のＬＥＤと抵抗Ｒ１〜Ｒｎとによるインピーダンスに比べて、十分低く設定している。即ち、負荷Ｚ１のインピーダンスが、LED1.1〜LED1.16と抵抗Ｒ１〜Ｒ１６とによるインピーダンスよりも十分低くなるように設定される。
【００２０】
よって、誘導電圧が発生した配線に流れる微弱な電流は、インピーダンス素子群４の負荷を流れるため、表示部１に流れることが防がれる。即ち、トランジスタＳ１がＯＦＦであるときに、表示部１の１行目とトランジスタＳ１との間の配線に誘導電圧が発生したとき、この誘導電圧による微弱な電流が負荷Ｚ１を流れるため、表示部１のLED1.1〜LED1.16に点灯することを防ぐことができる。
【００２１】
更に、このようなＬＥＤ表示装置において、静電気などによってダメージを受けた逆方向特性異常のＬＥＤを検出する方法について、以下に説明する。この逆方向特性異常のＬＥＤを検出する検査方法を行う際、まず、スイッチング素子群３を構成するトランジスタＤ１〜Ｄ１６を全てＯＦＦとする。そして、トランジスタＳ１，Ｓ２，…，Ｓ１６の順にＯＮすることで、スイッチング素子群２を時分割駆動させる。このとき、トランジスタＤ１〜Ｄ１６が全てＯＦＦであるため、表示部１を構成するＬＥＤが全て正常に動作するものであるならば、スイッチング素子群２を構成するトランジスタＳ１〜Ｓ１６をＯＮとしても、点灯することがない。
【００２２】
しかしながら、逆方向特性異常のＬＥＤが存在するとき、この逆方向特性異常のＬＥＤが存在する列に配された他の１５個の各ＬＥＤのカソードは、逆方向特性異常のＬＥＤ及びこのＬＥＤのアノードに接続された負荷を介して接地された状態となる。よって、他の１５個の各ＬＥＤのアノードに接続されたスイッチング素子群２内のトランジスタがＯＮとなるとき、それぞれのＬＥＤに電流が流れて、点灯する。
【００２３】
即ち、例えば、表示部１において、LED1.1のみが逆特性異常のＬＥＤであるとすると、まず、スイッチング素子群２のトランジスタＳ１のみをＯＮとするとき、LED1.1には電流が流れることがないので点灯しない。次に、トランジスタＳ１をＯＦＦとして、トランジスタＳ２のみをＯＮとする。このときのLED1.1を着目した回路モデルを図２に示す。LED1.1には逆方向のリーク電流が流れるため、負荷Ｚ１を介してLED1.1にリーク電流が流れる。よって、LED2.1のカソードがLED1.1及び負荷Ｚ１を介して接地された状態となるとともに、そのアノードがトランジスタＳ２を介して電源電圧ＶDDが印加されるため、LED2.1に電流が流れて点灯する。
【００２４】
同様に、スイッチング素子群２内のトランジスタＳ３，Ｓ４，…，Ｓ１６を順次ＯＮすると、LED3.1，LED4.1，…LED16.1のカソードがそれぞれ、LED1.1及び負荷Ｚ１を介して接地された状態となる。よって、スイッチング素子群２内のトランジスタＳ３，Ｓ４，…，Ｓ１６を順次ＯＮすることによって、LED3.1，LED4.1，…LED16.1に順次電流が流れて点灯する。従って、同一列に配されたLED1.1〜LED16.1のうち、LED1.1を除く全てのＬＥＤが点灯することになる。よって、点灯しないLED1.1を逆方向特性異常のＬＥＤとして検出することが可能である。
【００２５】
このように、同一列上で点灯するＬＥＤが存在するとき、この列上で不点灯のＬＥＤを逆方向特性異常のＬＥＤとして検出することができる。又、この検査方法のようにスイッチング素子群２を時分割駆動させたとき、表示部１を構成する全てのＬＥＤが不点灯であるときは、全てのＬＥＤが正常であるとすることができる。このように、スイッチング素子群３をＯＦＦとするとともに、スイッチング素子群２を時分割駆動することによって、容易に、表示部１内の逆方向特性異常のＬＥＤを検出することが可能である。
【００２６】
＜第２の実施形態＞
本発明の第２の実施形態について、図面を参照して説明する。図３は、本実施形態におけるＬＥＤ表示装置の内部構成を示すブロック回路図である。尚、図３に示すＬＥＤ表示装置は、図１に示すＬＥＤ表示装置と同様、その構成及び動作を簡単に説明するために、１文字単位についてのみ示したものである。又、図３において、図１と同一の目的で使用する部分については、同一の符号を付してその詳細な説明を省略する。
【００２７】
図３に示すＬＥＤ表示装置は、インピーダンス素子群４に抵抗ｒ１〜ｒ１６を使用している。即ち、トランジスタＳ１，Ｓ２，…，Ｓ１６それぞれのソースに、一端が接地された抵抗ｒ１，ｒ２，…，ｒ１６の他端が接続される。その他の構成については、第１の実施形態（図１）のＬＥＤ表示装置と同様の構成である。
【００２８】
このように構成する際、抵抗ｒ１〜ｒ１６の抵抗値を小さくすることによって、制御回路５によってＯＦＦとされているスイッチング素子群２内のトランジスタと表示部１との間の配線に発生する誘導電圧によって生じる電流が、インピーダンス素子群４側に流れるため、スイッチング素子群２によって走査されていない行のＬＥＤが点灯することを防ぐことができる。このように、走査されていない行のＬＥＤを不点灯とするには、ＬＥＤ表示装置内の配線の状態によって異なるが、略１０ｋΩ以下とすることによって、その効果が現れる。
【００２９】
しかしながら、インピーダンス素子群４で消費される電力が抵抗ｒ１〜ｒ１６の抵抗値に反比例するため、抵抗ｒ１〜ｒ１６の抵抗値を小さくするほど、インピーダンス素子群４での消費電力が大きくなる。又、この消費電力が大きくなれば、インピーダンス素子群４を構成する抵抗ｒ１〜ｒ１６を定格電力の大きな抵抗とする必要があり、望ましくない。よって、通常、この抵抗ｒ１〜ｒ１６のそれぞれで消費される電力が１Ｗ以下、好ましくは０．０１Ｗ以下になるように抵抗ｒ１〜ｒ１６の抵抗値が設定される。よって、ＬＥＤ表示装置に与えられる電源電圧ＶDDが５Ｖであるときは、抵抗ｒ１〜ｒ１６の抵抗値が２．５ｋΩ以上１０ｋΩ以下であることが好ましい。
【００３０】
このようにインピーダンス素子群４を抵抗ｒ１〜ｒ１６で構成することによって、表示部１とスイッチング素子群２との間の配線に直流の誘導電圧が発生したときに有効に働き、本来点灯しないＬＥＤの点灯を防ぐことができる。
【００３１】
＜第３の実施形態＞
本発明の第３の実施形態について、図面を参照して説明する。図４は、本実施形態におけるＬＥＤ表示装置の内部構成を示すブロック回路図である。尚、図４に示すＬＥＤ表示装置は、図１に示すＬＥＤ表示装置と同様、その構成及び動作を簡単に説明するために、１文字単位についてのみ示したものである。又、図４において、図１と同一の目的で使用する部分については、同一の符号を付してその詳細な説明を省略する。
【００３２】
図４に示すＬＥＤ表示装置は、インピーダンス素子群４にコンデンサＣ１〜Ｃ１６を使用している。即ち、トランジスタＳ１，Ｓ２，…，Ｓ１６それぞれのソースに、一端が接地されたコンデンサＣ１，Ｃ２，…，Ｃ１６の他端が接続される。その他の構成については、第１の実施形態（図１）のＬＥＤ表示装置と同様の構成である。
【００３３】
このような構成にすることによって、コンデンサが高周波の電圧に対して低インピーダンスのインピーダンス素子として働くため、表示部１とスイッチング素子群２との間の配線に発生する誘導電圧がパルス状であるとき、この誘導電圧によって発生する電流がコンデンサＣ１〜Ｃ１６のインピーダンス素子群４に流れる。このようにインピーダンス素子群４をコンデンサＣ１〜Ｃ１６で構成することによって、表示部１とスイッチング素子群２との間の配線に高周波の誘導電圧が発生したときに有効に働き、本来点灯しないＬＥＤの点灯を防ぐことができる。
【００３４】
＜第４の実施形態＞
本発明の第４の実施形態について、図面を参照して説明する。図５は、本実施形態におけるＬＥＤ表示装置の内部構成を示すブロック回路図である。尚、図５に示すＬＥＤ表示装置は、図１に示すＬＥＤ表示装置と同様、その構成及び動作を簡単に説明するために、１文字単位についてのみ示したものである。又、図５において、図１と同一の目的で使用する部分については、同一の符号を付してその詳細な説明を省略する。
【００３５】
図５に示すＬＥＤ表示装置は、インピーダンス素子群４に抵抗ｒ１〜ｒ１６とコンデンサＣ１〜Ｃ１６との並列回路を使用している。即ち、トランジスタＳ１，Ｓ２，…，Ｓ１６それぞれのソースに、一端が接地された抵抗ｒ１，ｒ２，…，ｒ１６の他端と、同じく一端が接地されたコンデンサＣ１，Ｃ２，…，Ｃ１６の他端とが接続される。その他の構成については、第１の実施形態（図１）のＬＥＤ表示装置と同様の構成である。
【００３６】
このような構成にしたとき、抵抗が直流電圧に対して、コンデンサが高周波の電圧に対して、それぞれ、低インピーダンスのインピーダンス素子として働く。よって、表示部１とスイッチング素子群２との間の配線に発生する誘導電圧が直流電圧であるとき、この誘導電圧によって発生する電流が抵抗ｒ１〜ｒ１６のインピーダンス素子群４に流れる。又、表示部１とスイッチング素子群２との間の配線に発生する誘導電圧がパルス状であるとき、この誘導電圧によって発生する電流がコンデンサＣ１〜Ｃ１６に流れる。
【００３７】
このようにインピーダンス素子群４を抵抗ｒ１〜ｒ１６及びコンデンサＣ１〜Ｃ１６の並列回路で構成することによって、表示部１とスイッチング素子群２との間の配線に誘導電圧が発生したときに有効に働き、本来点灯しないＬＥＤの点灯を防ぐことができる。
【００３８】
＜第５の実施形態＞
本発明の第５の実施形態について、図面を参照して説明する。図６は、本実施形態におけるＬＥＤ表示装置の内部構成を示すブロック回路図である。尚、図６に示すＬＥＤ表示装置は、図１に示すＬＥＤ表示装置と同様、その構成及び動作を簡単に説明するために、１文字単位についてのみ示したものである。又、図６において、図１と同一の目的で使用する部分については、同一の符号を付してその詳細な説明を省略する。
【００３９】
図６に示すＬＥＤ表示装置は、インピーダンス素子群４に抵抗ｒ１〜ｒ１６とツェナーダイオードＺ１〜Ｚ１６との直列回路を使用している。即ち、トランジスタＳ１，Ｓ２，…，Ｓ１６それぞれのソースに、抵抗ｒ１，ｒ２，…，ｒ１６の一端が接続されるとともに、抵抗ｒ１，ｒ２，…，ｒ１６の他端に、アノードが接地されたツェナーダイオードＺ１，Ｚ２，…，Ｚ１６のカソードが接続される。その他の構成については、第１の実施形態（図１）のＬＥＤ表示装置と同様の構成である。
【００４０】
このように構成することで、ツェナーダイオードＺ１〜Ｚ１６にかかる電圧が一定となるため、表示部１内に逆方向特性異常のＬＥＤが存在するときに、このＬＥＤと同列に配されたＬＥＤのカソードが、逆方向特性異常のＬＥＤと接続されたインピーダンス素子群４内の負荷を介して接地されることを防ぐ。即ち、ツェナーダイオードＺ１〜Ｚ１６を動作させるための電圧をＶａとすると、逆方向特性異常のＬＥＤと同列に配されたＬＥＤのカソードには、電圧Ｖａよりも高い電圧がかかることになる。よって、このとき、ＬＥＤには、ＶDD−Ｖａよりも低い電圧がかかることとなり、この電圧ＶDD−ＶａをＬＥＤの動作電圧よりも低くすることにより、正常なＬＥＤの誤動作を防ぐことができる。
【００４１】
今、例えば、表示部１において、LED1.1のみが逆特性異常のＬＥＤであるものとしたときの動作について、説明する。このときのLED1.1を着目した回路モデルを図７に示す。今、スイッチング素子群２内のトランジスタＳ２がＯＮであるとともに、スイッチング素子群３内のトランジスタＤ１がＯＦＦであるものとする。このとき、LED2.1が正常に動作するとき、LED2.1は点灯しない。しかしながら、第２の実施形態（図３）のように、インピーダンス素子群４が抵抗のみで構成されるとき、LED2.1のアノードに、トランジスタＳ２を介して電源電圧ＶDDが印加されるとともに、LED2.1のカソードが、LED1.1及び抵抗ｒ１を介して接地されるため、LED2.1に電流が流れて点灯してしまう。
【００４２】
そこで、本実施形態のように、Ｖａの逆電圧を印加したときに電流が流れるツェナーダイオードをインピーダンス素子群４内に設けることによって、LED2.1のカソードに、LED1.1及び抵抗ｒ１を介して電圧Ｖａが印加されることとなる。この電圧Ｖａは、表示部１内のＬＥＤがＶDD−Ｖａで駆動しない程度の電圧とすることによって、LED2.1に電流が流れることを防ぎ、不点灯とすることができる。即ち、ＬＥＤの駆動電圧をＶｂとすると、Ｖｂ＞ＶDD−Ｖａであるため、ツェナーダイオードＺ１には、ＶDD−Ｖｂがかかることとなる。
【００４３】
よって、ツェナーダイオードＺ１はＶａよりも低い電圧がかかることとなり、ツェナーダイオードＺ１に電流が流れないので、LED2.1が駆動することがない。このように、本実施形態のＬＥＤ表示装置によると、表示部１に逆方向特性異常のＬＥＤが存在しても、その他の正常なＬＥＤについては、その影響なく正常に動作させることができる。
【００４４】
＜第６の実施形態＞
本発明の第６の実施形態について、図面を参照して説明する。図８は、本実施形態におけるＬＥＤ表示装置の内部構成を示すブロック回路図である。尚、図８に示すＬＥＤ表示装置は、図１に示すＬＥＤ表示装置と同様、その構成及び動作を簡単に説明するために、１文字単位についてのみ示したものである。又、図８において、図１と同一の目的で使用する部分については、同一の符号を付してその詳細な説明を省略する。
【００４５】
図８に示すＬＥＤ表示装置は、インピーダンス素子群４に接続されたスイッチング素子群６が更に設けられた構成となる。即ち、トランジスタＳ１，Ｓ２，…，Ｓ１６それぞれのソースに一端が接続された負荷Ｚ１，Ｚ２，…，Ｚ１６の他端にドレインが接続されるとともに、ドレインが接地されたＮチャネルのＭＯＳトランジスタＴ１，Ｔ２，…，Ｔ１６が設けられる。尚、このトランジスタＴ１〜Ｔ１６も、制御回路５よりそのゲートに信号が与えられて、ＯＮ／ＯＦＦ制御される。又、その他の構成については、第１の実施形態（図１）のＬＥＤ表示装置と同様の構成である。
【００４６】
このように構成されたＬＥＤ表示装置は、スイッチング素子群２のＯＮ／ＯＦＦ動作に同期してスイッチング素子群６がＯＮ／ＯＦＦ動作を行う。但し、スイッチング素子群２においてＯＮとされるトランジスタと同一行に接続されたスイッチング素子群６内のトランジスタをＯＦＦとし、その他のスイッチング素子群６内の１５個のトランジスタをＯＮとする。
【００４７】
即ち、今、表示部１内の１行目のＬＥＤを点灯させるために、トランジスタＳ１をＯＮとするとともに、トランジスタＳ２〜Ｓ１６をＯＦＦとしたとき、スイッチング素子群６では、トランジスタＴ１がＯＦＦとされるとともに、トランジスタＴ２〜Ｔ１６がＯＮとされる。尚、表示部１内の２行目以降のＬＥＤを点灯させるときも同様、スイッチング素子群６において、その点灯させる行の配線に負荷を介して接続されたトランジスタをＯＦＦとするとともに、その他の１５個のトランジスタをＯＮとする。
【００４８】
このようにスイッチング素子群２，６を動作させることによって、表示部１のスイッチング素子群２によって走査されスイッチング素子群３よりデータを与えられる行に接続されたインピーダンス素子群４内の負荷に電流が流れないようにすることができるため、インピーダンス素子群４における消費電力を低減させることができる。又、このとき、表示部１におけるスイッチング素子群２によって不点灯とされる行のＬＥＤについては、スイッチング素子群６内のトランジスタがＯＮであるため、誘導電圧の発生により生じた電流がインピーダンス素子群４側に流れるため、点灯を防ぐことができる。このように、本実施形態によると、表示部１の点灯させる行に接続されたインピーダンス素子群４内の負荷を電気的に切断することができるので、無駄な消費電力を防ぐことができる。
【００４９】
尚、本実施形態において、インピーダンス素子群４を、第２〜第６の実施形態におけるインピーダンス素子群４としても構わない。
【００５０】
【発明の効果】
本発明によると、表示部と第１スイッチング素子との間の配線の状態により、他の回路動作の影響を受けて生じる誘導電圧により発生する電流を、インピーダンス素子に流すことによって、表示部に流れ込むことを防ぐことができる。よって、第１スイッチング素子がＯＦＦであるときに、配線に生じた誘導電圧により生じた電流が表示部に流れ込み、このＯＦＦである第１スイッチング素子と接続された行のＬＥＤがわずかに点灯することを防ぐことができ、誤動作なく正常に動作させることができる。又、本発明によると、静電気などののサージの影響を受けて逆方向特性異常のＬＥＤを検出するのに、従来のように、検査用の測定器を新たに設けることなく、容易に検査することができる。よって、信頼性の高いＬＥＤ表示装置とすることができる。
【図面の簡単な説明】
【図１】第１の実施形態のＬＥＤ表示装置の内部構成を示すブロック回路図。
【図２】ＬＥＤ表示装置の検査方法を説明するためのＬＥＤ表示装置の一部を示すブロック回路図。
【図３】第２の実施形態のＬＥＤ表示装置の内部構成を示すブロック回路図。
【図４】第３の実施形態のＬＥＤ表示装置の内部構成を示すブロック回路図。
【図５】第４の実施形態のＬＥＤ表示装置の内部構成を示すブロック回路図。
【図６】第５の実施形態のＬＥＤ表示装置の内部構成を示すブロック回路図。
【図７】図６のＬＥＤ表示装置の一部を示すブロック回路図。
【図８】第６の実施形態のＬＥＤ表示装置の内部構成を示すブロック回路図。
【図９】従来のＬＥＤ表示装置の内部構成を示すブロック回路図。
【符号の説明】
１    表示部
２，３    スイッチング素子群
４    インピーダンス素子群
５    制御回路
【図１】
0003649658.tif 000002
【図２】
0003649658.tif 000003
【図３】
0003649658.tif 000004
【図４】
0003649658.tif 000005
【図５】
0003649658.tif 000006
【図６】
0003649658.tif 000007
【図７】
0003649658.tif 000008
【図８】
0003649658.tif 000009
【図９】
0003649658.tif 000010